(57)【特許請求の範囲】
【請求項１】
台所等の限られた空間に設けられ、かつ下方にガスコンロ等の他の加熱調理装置の上部に設けられるレンジフード付き高周波調理装置において、機器本体と、機器本体内に設けられた食品を収納する加熱室と、高周波発生装置と、前記加熱室内の電波分布を左右均一にするため前記加熱室の上方ほぼ中央部分に設けた給電口と、前記給電口に前記高周波発生装置から発生する高周波エネルギーを伝達する導波管と、前記他の加熱調理装置から発生する生成ガスを取り込む機器本体の吸気口と、前記導波管の前記給電口側端部あるいは前記高周波加熱装置側端部側に設けた前記機器本体の吸気口から取り入れた空気を排気する換気ファンと、機器本体の排気口を備え、換気ファンの排気口と、機器本体の排気口をつないでいる換気ファンの排気ダクトを有し、前記換気ファンのダクトは換気ファンの排気口に回転自在に取り付る構成としたレンジフード付き高周波加熱調理装置。
【請求項２】
少なくとも２つ以上の機器本体の吸気口と、換気ファンの吸い込み側に設けた少なくとも２つ以上の換気ファンの吸気口とを有し、各々の前記機器本体の吸気口は、各々の前記換気ファンの吸気口にそれぞれ独立して給合する構成とした請求項１記載のレンジフード付き高周波加熱調理装置。
【発明の詳細な説明】
【０００１】
【発明の属する技術分野】
本発明は限られた空間に取付けるレンジフード付き高周波加熱調理装置に関し、特にその換気構成に関するものである。
【０００２】
【従来の技術】
従来この種のレンジフード付き高周波加熱調理装置は、図４に示されているように機器本体１は壁面２に取付けられていた。すなわち、その上方には天井（図示せず）、下方には他の加熱調理装置３、左右には例えば収納棚４が設けられており、非常に狭い限られた空間に取付けられていた。以下図面によりその構成を説明する。
【０００３】
食品を収納する加熱室５の上方に高周波発生装置６から発生する高周波エネルギーを伝達する導波管７を設けていた。加熱室５の上方壁面には導波管７から加熱室５内に高周波エネルギーを供給する給電口８を設けていた。一方、機器本体の下部にはガスコンロなどの他の加熱調理装置３から発生する生成ガスを取り込む機器本体１の吸気口９ａ，９ｂがあり、取り入れた空気は、加熱室５の上方に設けた換気ファン１０から機器本体の排気口１１に排気されダクト等を通って屋外に排気するようになっていた。換気ファン１０の吸い込み側には換気ファンの吸気口１２ａ，１２ｂがあり、吹き出し側には換気ファンの排気口１３を設けていた。給電口８は加熱室５内の電波分布を左右均一にするため加熱室５の上方ほぼ中央部分に設けていた。また、機器本体１の設置状況により、機器本体から排気される方向が機器本体の後方、あるいは上方に変わるため、機器本体１の排気口１１は、機器本体１の上方且つ後方の角部に設けるのが一般的であった。換気ファン１０も排気ファンの排気口１３から、機器本体１の排気口１１までの排気抵抗を最小限にし排気効率を確保するため、機器本体１の排気口１１の近傍、即ち機器本体１の上方且つ後方の角部に設けるのが一般的であった。また、機器本体１の吸気口９ａ，９ｂから吸い込む生成ガスの量をほぼ均一にして吸気の効率をよくするため、換気ファン１０は、機器本体の吸気口９ａ，９ｂからの距離がほぼ均等になる位置、即ち機器本体の上方ほぼ中央部分に導波管７と並べて設けるようになっていた。
【０００４】
【発明が解決しようとする課題】
しかしながら、従来のレンジフード付き高周波加熱調理装置では、排気風量を大きくするために換気ファン１０の外径を大きくしようとしても、導波管７と換気ファン１０をともに加熱室５上方中央部分に平行して設けているため、機器本体の寸法を大きくしない限り、換気ファン１０の外径を大きくすることができない。しかし機器の寸法を大きくすると、設置空間が限定されているため設置することができなくなるという問題を有していた。
【０００５】
【課題を解決するための手段】
本発明は上記課題を解決するために換気ファンを導波管の加熱室内への給電口側から端部あるいは高周波加熱装置側から端部側に設け、換気ファンの排気口と、機器本体の排気口をつないでいる換気ファンの排気ダクトを有し、前記換気ファンのダクトは換気ファンの排気口に回転自在に取り付る構成としたたものである。
【０００６】
上記発明によれば、換気ファンと導波管を、取付け部分を広く設けることができ加熱室上方中央部分に並べて設けないので、導波管の位置、寸法にかかわらず、換気ファンの外径を大きくすることができるため、機器本体の寸法を大きくしなくても排気風量を大きくすることができる。
【０００７】
【発明の実施の形態】
本発明は機器本体と、食品を収納する加熱室と、高周波発生装置と、前記加熱室内の電波分布を左右均一にするため前記加熱室の上方ほぼ中央部分に設けた給電口と、前記給電口に前記高周波発生装置から発生する高周波エネルギーを伝達する導波管と、他の加熱調理装置から発生する生成ガスを取り込む機器本体の吸気口と、前記導波管の前記給電口側端部あるいは前記高周波加熱装置側端部側に設けた、前記機器本体の吸気口から取り入れた空気を排気する換気ファンと、機器本体の排気口を有し、換気ファンの排気口と、機器本体の排気口をつないでいる換気ファンの排気ダクトを有し、前記換気ファンのダクトは換気ファンの排気口に回転自在に取り付る構成としたものである。
【０００８】
そして換気ファンを導波管の加熱室内への給電口側端部あるいは高周波加熱装置側端部側に設けるため、導波管の位置，寸法にかかわらず、取付け部分を広くすることができ換気ファンの外径を機器本体内部の奥行き寸法まで大きくすることができ、機器本体の寸法を大きくしなくても排気風量を大きくすることができる。
【０００９】
そして戸外への排気ダクトの設置状況によって機器本体の排気口が、機器本体の後方、上方そして前方のいずれの場合でも、設置時に換気ファンの排気ダクトの向きを変えることにより容易に排気方向を変更することができる。
【００１０】
また、少なくとも２つ以上の機器本体の吸気口と、換気ファンの吸い込み側に設けた少なくとも２つ以上の換気ファンの吸気口とを有し、各々の前記機器本体の吸気口は、各々の前記換気ファンの吸気口にそれぞれ独立してつなげられているものである。
【００１１】
そして換気ファンの位置を加熱室上方中央部分にしなくても、各々の機器本体の吸気口の間に吸気の偏りが無く効率よく換気することができる。
【００１２】
【実施例】
以下、本発明の実施例について図面を用いて説明する。なお、従来例と同一符号は同等の機能を有する構成を示す。また、本発明のレンジフード付き高周波加熱調理装置の据付け条件は従来例で述べたと同様、限られた空間に取付けるものである。
【００１３】
図１は本発明の一実施例のレンジフード付き高周波加熱調理装置の外観斜視図である。また図２及び図３はレンジフード付き高周波加熱調理装置の要部断面図である。
【００１４】
図において、１は機器本体、５は食品を収納する加熱室である。加熱室５の上方に高周波発生装置６から発生する高周波エネルギーを伝達する導波管７を設けている。８は導波管７から加熱室５内に高周波エネルギーを供給する給電口であり、加熱室５内の電波分布を左右均一にするため加熱室５の上方ほぼ中央部分に設けている。一方、機器本体１の下部にはガスコンロなどの他の加熱調理装置３から発生する生成ガスを取り込む機器本体の吸気口９ａ，９ｂがあり、取り入れた空気は、導波管７の給電口８側から端部側に設けた換気ファン１０から機器本体の排気口１１に排気されダクト等を通って屋外に排気するようになっている。換気ファン１０吸い込み側には換気ファンの吸気口１２ａ，１２ｂが換気ファン１０の上下両端にあり、それぞれ機器本体の吸気口９ａ，９ｂと独立してつなげられている。吹き出し側には換気ファンの排気口１３を設けている。１４は換気ファンの排気ダクトであり、換気ファンの排気口１３と機器本体の排気口１１をつないでいる。換気ファンのダクト１４は換気ファンの排気口１３に回転自在に取り付けられている。
【００１５】
次に動作、作用について説明すると換気ファン１０を導波管７の給電口８側から端部側に設けているので導波管７の位置，寸法にかかわらず、換気ファン１０の外径を機器本体内部の奥行き寸法まで大きくすることができるため、機器本体１の寸法を大きくしなくても排気風量を大きくすることができる。
【００１６】
また、換気ファン１０吸い込み側には換気ファンの吸気口１２ａ，１２ｂが換気ファン１０の上下両端にあり、それぞれ独立した通風路により機器本体の吸気口９ａ，９ｂとつなげられているため、機器本体の吸気口９ａから吸気した空気は換気ファンの吸気口１２ａから、機器本体の吸気口９ｂから吸気した空気は換気ファンの吸気口１２ｂからと独立して吸気するため、換気ファン１０が加熱室５上方中央部分に無くても、機器本体の吸気口９ａ，９ｂの間に吸気の偏りが無く効率よく換気することができる。
【００１７】
なお、換気ファンの排気ダクト１４を、回転自在に取り付けているので図３（ａ）（ｂ）（ｃ）で示すように戸外への排気ダクトの設置状況によって機器本体の排気口１１が、機器本体１の後方、上方そして前方のいずれの場合でも、設置時に換気ファンの排気ダクト１４の向きを変えることにより容易に排気方向を変更できるものである。
【００１８】
【発明の効果】
以上のように本発明によれば換気ファンを導波管の加熱室内への給電口側端部あるいは高周波加熱装置側端部側に設けるため、導波管の位置，寸法にかかわらず、取付け部分を広くすることができ換気ファンの外径を機器本体内部の奥行き寸法まで大きくすることができ、限られた空間しかない場所においても機器本体の寸法を大きくしなくても排気風量を大きくすることができるという有利な効果を有する。
【００１９】
さらに、換気ファンの排気ダクトを、換気ファンの排気口に回転自在に取り付けているので戸外への排気ダクトの設置状況によって機器本体の排気口が、機器本体の後方、上方そして前方のいずれの場合でも、設置時に容易に排気方向を変更できるものである。
【００２０】
また換気ファン吸い込み側には換気ファンの吸気口が換気ファンの上下両端にあり、それぞれ少なくとも２つ以上の機器本体の吸気口に独立してつなげているため、換気ファンの位置が加熱室上方中央部分でなくても、それぞれの機器本体の吸気口の間に吸気の偏りが無く効率よく換気することができる。
【図面の簡単な説明】
【図１】本発明の一実施例のレンジフード付き高周波加熱調理装置の外観斜視図
【図２】同レンジフード付き高周波加熱調理装置の要部断面図
【図３】（ａ）同レンジフード付き高周波加熱調理装置の要部断面図
（ｂ）同レンジフード付き高周波加熱調理装置と排気ダクトとの関連を示す要部断面図
（ｃ）同レンジフード付き高周波加熱調理装置と排気ダクトとの関連を示す要部断面図
【図４】従来のレンジフード付き高周波加熱調理装置の外観斜視図
【符号の説明】
１  機器本体
３  第二の加熱調理装置
５  加熱室
６  高周波発生装置
７  導波管
８  給電口
９ａ，９ｂ  機器本体の吸気口
１０  換気ファン
１１  機器本体の排気口
１２ａ，１２ｂ  換気ファンの吸気口
１３  換気ファンの排気口
１４  換気ファンのダクト
【図１】
0003629925.tif 000002
【図２】
0003629925.tif 000003
【図３】
0003629925.tif 000004
【図４】
0003629925.tif 000005